(57)【要約】【課題】Ｃ、Ｍ、Ｙなどプリンタの１次色を色再現する場合に、色相のシフトを抑制し、かつ高彩度を実現する色分解を行う。【解決手段】１次色Ｃを再現する色分解テーブルのＷ−Ｃライン上の各格子点の格子点データを、Ｗ点からＣ点に向かってＣインクが単調増加するように定める。また、Ｗ点からＣ点に向かう途中から調色のための特色Ｇインクが単調増加して用いられ、Ｃ点では基本色Ｃインクと特色Ｇインクの混色となるように格子点データを定める。このように、反射率特性において、基本色Ｃインクがブルー寄りの発色となっている場合に、彩度が高くかつＣインクとグリーンの帯域でオーバーラップする部分を多く持つ特色Ｇインクが、デバイス１次色Ｃの高濃度部で用いられる。これにより、色相シフトの抑制と高彩度を両立して実現することができる。【選択図】図２５
2007318671.tif 000002
【特許請求の範囲】
【請求項１】
３原色に対応した基本色記録剤と、前記基本色記録剤とは異なる色相を示す特色記録剤を用いて記録を行う記録装置であって、
前記３原色のある１つの基本色記録剤の単位面積あたりの打ち込み量が最大となる色を、前記ある１つの基本色記録剤と、前記ある１つの基本色記録剤と他の１つの基本色記録剤との間の色相を示す特色記録剤を用いて再現することを特徴とする記録装置。
【請求項２】
３原色に対応した基本色記録剤と当該基本色記録剤とは異なる色相を示す特色記録剤とを用いて表現可能な色を再現するための記録剤の量を定める色分解処理を実行する画像処理装置であって、
前記３原色のある１つの基本色記録剤の単位面積あたりの打ち込み量が最大となる色を、前記ある１つの基本色記録剤と、前記ある１つの基本色記録剤と他の１つの基本色記録剤との間の色相を示す特色記録剤とを用いて再現するように、当該基本色記録剤および当該特色記録剤それぞれの量を定める色分解手段
を具えたことを特徴とする画像処理装置。
【請求項３】
色信号で特定される色を色再現するための記録剤の量を定める色分解処理を実行する画像処理装置であって、
前記色信号で特定される所定の１次色を、３原色のある１つに対応した基本色記録剤と、前記ある１つに対応した基本色記録剤と他の１つの基本色記録剤との間の色相を再現する特色記録剤と、を用いて再現するように、当該基本色記録剤および当該特色記録剤それぞれの量を定める色分解手段
を具えたことを特徴とする画像処理装置。
【請求項４】
前記色分解手段はテーブルを用いて前記色分解処理を行い、
前記テーブルは、前記所定の１次色を特定する前記色信号によって規定される格子点に、前記所定の１次色を再現する前記基本色記録剤および前記特色記録剤の量を格子点データとして格納することを特徴とする請求項３に記載の画像処理装置。
【請求項５】
前記所定の１次色は、前記色信号によって特定される複数の色を連ねて形成されるラインの一部の色であることを特徴とする請求項３または４に記載の画像処理装置。
【請求項６】
前記所定の１次色は、前記色信号によって特定される複数の色を連ねて形成されるラインの一部の色であり、
前記色分解手段は、さらに前記ラインの前記複数の色を前記基本色記録剤より濃度の低い淡色記録剤を用いて再現するように当該淡色記録剤の量を定めることを特徴とする請求項３または４に記載の画像処理装置。
【請求項７】
前記所定の１次色は、前記色信号によって特定される複数の色を連ねて形成されるラインの当該複数の色であることを特徴とする請求項３または４に記載の画像処理装置。
【請求項８】
前記所定の１次色は、前記色信号によって特定される複数の色を連ねて形成されるラインの一部の色であり、
前記色分解手段は、さらに前記ラインの前記複数の色を前記他の１つの基本色記録剤を用いて再現するように当該他の１つの基本色記録剤の量を定めることを特徴とする請求項３または４に記載の画像処理装置。
【請求項９】
前記所定の１次色は、前記色信号によって特定される複数の色を連ねて形成されるラインの一部の色であり、
前記色分解手段は、さらに前記ラインの前記複数の色を他の特色記録剤を用いて再現するように当該他の特色記録剤の量を定めることを特徴とする請求項３または４に記載の画像処理装置。
【請求項１０】
３原色に対応した基本色記録剤と当該基本色記録剤とは異なる色相を示す特色記録剤をと用いて表現可能な色を再現するための記録剤の量を定める色分解処理を実行するための画像処理方法であって、
前記３原色のある１つの基本色記録剤の単位面積あたりの打ち込み量が最大となる色を、前記ある１つの基本色記録剤と、前記ある１つの基本色記録剤と他の１つの基本色記録剤との間の色相を示す特色記録剤とを用いて再現するように、当該基本色記録剤および当該特色記録剤それぞれの量を定める色分解工程
を有したことを特徴とする画像処理方法。
【請求項１１】
コンピュータに、色信号で特定される色を色再現するための記録剤の量を定める色分解処理を実行する画像処理装置として機能させるプログラムであって、前記機能は、
前記色信号で特定される所定の１次色を、３原色の１つに対応した基本色記録剤と、前記１つに対応した基本色記録剤と他の１つの基本色記録剤との間の色相を再現する特色記録剤と、を用いて再現するように、当該基本色記録剤および当該特色記録剤それぞれの量を定める色分解手段
を有したことを特徴とするプログラム。
【発明の詳細な説明】
【技術分野】
【０００１】
本発明は、画像処理装置、記録装置および色分解テーブル作成方法に関し、特に、シアン、マゼンタ、イエローといった１次色の色再現に関するものである。
【背景技術】
【０００２】
画像情報（文字、記号等を含む）を記録媒体に形成する画像形成装置は、プリンタ、複写機、ファクシミリとして、また、コンピュータ、ワードプロセッサなどで処理された情報の出力機器として知られている。このような画像形成装置では、紙やプラスチック薄板（ＯＨＰ用紙）のような記録媒体に対して、記録機構を用いて画像情報に基づいた記録を行う。これらの記録方式の代表的な例としては、インクジェット方式、ワイヤドット方式、感熱方式、熱転写方式、レーザービームなどを利用した電子写真方式などがある。
【０００３】
このうち、インクジェット方式は、記録ヘッドからインクを液滴の形態で吐出し、これを記録媒体に着弾させてドットを形成し画像を形成する方式である。この方式を利用したインクジェットプリンタは、コンピュータ等の情報処理機器の出力装置として近年広く用いられている。
【０００４】
インクジェットプリンタでは、記録剤としてのインクに含有される色材として染料や顔料を用いる。この色材によるインク色として、減法混色の三原色となるシアン（Ｃ）、マゼンタ（Ｍ）およびイエロー（Ｙ）の基本色が用いられる。また、ブラック（Ｋ）を加えた４色を用いるシステムも一般的である。ブラックをさらに用いることによって記録媒体へのインク付与量低減や濃度向上を実現することができる。さらに、写真調の高画質出力用のシステムでは、シアンやマゼンタについて色材濃度の低い淡シアン（ＬＣ）、淡マゼンタ（ＬＭ）を上記４色のインクに加えて使用することもある。これにより、記録画像のハイライト部の粒状感を低減できるなどの画質向上を実現できる。また、グレー（Ｇｒｙ）、淡グレー（淡Ｇｒｙ）のインクをさらに用いるプリンタシステムも知られている。
【０００５】
このような種々のインクを用いて目的とする画質の画像を得るには、画像情報が表す色をどのようなインクの組合せで実現するかを定める色分解処理が重要となる。
【０００６】
特許文献１や特許文献２には、濃、淡インクを用いる場合の色分解処理が開示されている。特許文献１には、濃、淡インクの切り替え時のインク打ち込み量の変化による階調性劣化を抑制することを目的とし、シアン、マゼンタといった１次色を濃、淡インクの両方で色再現するような色分解が記載されている。また、特許文献２には、相対的にブロンズ現象を生じやすい淡インクと、ブロンズ現象を生じ難い濃インクを用いる場合に、ブロンズの有無のために生じる光沢むらを抑制すべく、１次色を濃、淡インクの両方で再現する色分解処理が記載されている。
【０００７】
ところで、近年、カラープリンタの普及により、さらなる高画質への要求が高まっている。しかし、ＣＭＹの基本色記録剤やＬＣ，ＬＭ，Ｇｒｙ、ＬＧｒｙ、Ｋなどの準基本色記録剤では、記録剤の発色特性によって再現できる色に限りがあり、より鮮やかな色の再現は難しい。そこで、これらの基本色および準基本色に加え、レッド（Ｒ）、オレンジ（Ｏ）、グリーン（Ｇ）、ブルー（Ｂ）、バイオレット（Ｖ）などの特色記録剤を用いるようになりつつある。
【０００８】
このような特色を用いる場合の色分解処理が、次の特許文献２〜９に開示されている。
【０００９】
特許文献２には、色分解によって求めた基本色記録剤について、基本色のうちの２つと、この２つの基本色記録剤の混色によって得られる特色を交換することにより、特色を使用する系における色分解を行うことが記載されている。
【００１０】
また、特許文献３、５、６、７には、Ｃ、Ｍ、Ｙの基本色やＫ、ＬＣ、ＬＭなどの準基本色（有彩１次色）と、特色（有彩２次色）を用いる場合に、特色の多用で生じる粒状感の低減を目的とした色分解（分版処理）が記載されている。特に、明るい色再現域での特色インク使用量を抑える一方で特色の色再現を生かした色分解を行うことが記載されている。
【００１１】
さらに、特許文献７、９には、明るく、かつ彩度が高い発色特性の特色インクを用いる場合に、色域拡大効果のある高明度領域だけに特色インクを使用し、逆に色域縮小の原因となる低明度領域には特色インクを使用しない色分解を行うことが記載されている。
【００１２】
【特許文献１】特開２００３−３９７１４号公報
【特許文献２】特開平１０−１１２８０９号公報
【特許文献３】特開２００４−３１４４９０号公報
【特許文献４】特許登録０２７１１０８１号公報
【特許文献５】特開２００５−３３５１９１号公報
【特許文献６】特開２００５−０５９３６２号公報
【特許文献７】特開２００５−２１７９８７号公報
【特許文献８】特開２００５−０５９３６１号公報
【特許文献９】特開２００２−３３９３０号公報
【発明の開示】
【発明が解決しようとする課題】
【００１３】
ところで、インクジェットプリンタの記録剤であるインクの特性としては、発色特性の他、文字や罫線のにじみ具合、長期保存安定性や吐出安定性など種々の特性が要求される。ここで長期保存安定性は、耐オゾン被爆、耐紫外線被爆、耐水などの特性であり、吐出安定性とは、目詰まりなどの吐出不良が生じない特性である。このようにインクは発色ばかりかそれ以外の様々な特性を考慮して製造する必要がある。このため、発色特性についてある程度の妥協をしたインクを用いることが多い。
【００１４】
図１は、このような発色特性についてある程度の妥協をしたインクの色再現特性を示す図である。図１は、Ｃ、Ｍ，Ｙの基本色インク、ＬＣ、ＬＭの準基本色インクおよびＲ、Ｇの特色インクそれぞれのインク付与量に応じた再現色の変化を、ＣＩＥ−Ｌ＊ａ＊ｂ＊色空間におけるａ＊ｂ＊平面に正射影して表したものである。図１に示すように、それぞれインクは付与量の増加に伴って、ａ＊ｂ＊平面の原点付近にある紙白点Ｗから、彩度が増加して行く。準基本色インクＬＣ、ＬＭは、対応する基本色インクＣ、Ｍとそれぞれほぼ等しい色相を再現するが、彩度はより低い彩度をそれぞれ再現する。また、特色インクＧは、ＹインクとＣ（ＬＣ）インクの色再現ラインの間、特色ＲはＹインクとＭ（ＬＭ）インクの色再現ラインの間の色を再現している。さらに、Ｙインクは、ｂ＊軸の正の方向に沿って色相を保ちつつ彩度が増加する色再現を実現する。
【００１５】
ところが、図１の例では、Ｃインクの色再現ライン１２０１やＭインクの色再現ライン１２０３には、インク付与量の増加に伴って、それぞれシアンからブルー、マゼンタからレッドに色相が大きく曲がる（シフト）する部分１２０１Ａ、１２０３Ａが存在する。また、これらのそれぞれ同系色の淡インクＬＣ、ＬＭについても、同様にシフトする部分が存在する。ただし、淡インクの場合は相対的にシフト量は少ない。
【００１６】
以下、この色相のシフトについてインクＣを例にとり説明する。
【００１７】
図２は、プリンタに入力する画像情報である色信号ＲＧＢによるデバイス（例えば、ディスプレイの）色再現域を示す図である。色信号Ｒ、Ｇ、Ｂ各８ビットの組合せで示されるデバイス色は図２に示す立方体の１つの点として表される。
【００１８】
図２に示す立体のＷｈｉｔｅ−Ｃｙａｎライン４１上のデバイス色の色分解が、例えば、図３に示すように、Ｗ（Ｗｈｉｔｅ）点からＣ（Ｃｙａｎ）点に向けてインクＣ単色が単調増加するものである場合について考える。このとき、図２に示すＢ（Ｂｌｕｅ）−Ｃ（Ｃｙａｎ）−Ｇ（Ｇｒｅｅｎ）ライン上のデバイス色の色分解は、図４に示すように、Ｃインクについては、Ｂ点からＣ点を経由してＧ点まで一定である。また、Ｂ点からＣ点の間では、Ｍインクが単調増加してＣ点で０となる。そして、Ｇ点からＣ点の間では、Ｙインクが単調増加してＣ点で０となっている。
【００１９】
図５は、図１に示した色再現特性をもつＣインクを用いて、図３に示す単純な色分解処理を行う場合のプリンタの色再現域を示す図である。図５は、図１と同様の図であり、色再現域をａ＊ｂ＊に対する正射影で表している。図５では、その紙面に対して鉛直上方向が明るさを表すＬ＊軸、同図の横方向にａ＊軸、縦方向にｂ＊軸をとっている。図において、太い実線は、プリンタの色再現域のうち、明るい（Ｗ）側、細い点線は、暗い（Ｋ）側のそれぞれ色再現ラインを示している。詳細には、図２に示す立方体でＷと各頂点Ｃ、Ｇ、Ｙ、Ｒ、Ｍ、Ｂとを結ぶラインそれぞれの色再現ラインが上記明るい側にあり、各頂点Ｃ、Ｇ、Ｙ、Ｒ、Ｍ、ＢとＫとを結ぶラインそれぞれの色再現ラインが上記暗い側にある。
【００２０】
図５に示すように、ＷからＣにかけての色再現ライン１２０１は、図１にて説明したように、Ｃの増加に連れて色相が大きくシフトし、かつ彩度も最大値に達してその後低下する特性を持つ。一方、ＣからＫ（黒）にかけての色再現ライン１２０２はこのような色相の大きなシフトが無い。これは、Ｃ−Ｋ間では、Ｃの補色成分Ｍ、Ｙなどのバランスによって明るさと色相が同時に調整されているからであり、Ｃ単色で構成されているＷ−Ｃ間と比べてライン上での色相シフトが抑えられている。
【００２１】
図６は、図５に示した色再現域のうち、Ｗ−Ｃ−Ｂ面の色再現域を太実線で囲って示している。また、図７は、図５に示した色再現域のうち、Ｃ−Ｂ−Ｋ面の色再現域を太実線で囲って示している。これらの図において、Ｃ−Ｂラインを境にそれより上面と下面では面積が大きく異なっていること、およびＷ−Ｃ−Ｋ面が大きく歪んでいることがわかる。
【００２２】
すなわち、上記のように発色特性についてある程度の妥協がなされた基本色記録剤を用い、かつ単純な色分解を行う場合には次のような問題を生じることを本願発明者は見出した。Ｗ−Ｃ−Ｋラインに沿ったグラデーション画像や、Ｗ−Ｃ−Ｋ面に接するようなグラデーション画像を記録するときに、シアン色に再現される領域とブルー色に再現される領域とが混在し、色合いにおいて擬似階調が生じるという問題である。そして、このような擬似階調を避けるには、基本色色剤を用いるデバイス１次色ライン（例えば、上述したように、図２のラインＷ−Ｃ）の色再現において、基本色記録剤の色再現特性を補償することが必要となることを本発明者は見出した。
【００２３】
上述した各特許文献に記載の色分解は、この補償が十分でないかその点について開示がない。
【００２４】
具体的には、特許文献１に開示されている、デバイス１次色をＣインクと同系色のＬＣインクの両方を用いて再現する方法では、図２のＷ−Ｃライン４１上の色の色分解が、図８に示すもののようになる。図８に示すように、Ｗ点からＣ点に向かってＬＣインクが増加し、粒状感が目立たなくなるＷ−Ｃ間の中程から、Ｃインクが単調増加するとともに、ＬＣインクが減少し、Ｃ点をＣインクとＬＣインクの両方を用いて色再現する。また、図２のＢ−Ｃ−Ｇライン上の色の色分解は、図９に示すように、ＣインクがＢ点からＣ点を経由してＧ点まで一定となる。また、ＬＣインクはＣ点付近で山状に増減する。さらに、ＭインクはＢ点からＣ点に向けて単調減少してＣ点で０となり、ＹインクはＧ点からＣ点に向けて単調減少してＣ点で０となる。
【００２５】
しかしながら、以上の特許文献１に記載の色分解では、若干の色調整ができるにすぎず、Ｃライン１２０１における大きな色相シフト（図５〜図７）を補償することはできない。すなわち、ＣとＬＣのような略同系色の記録剤を製造する場合、色材に類似のものを用いることが多い。このため、程度の差はあるが、Ｃインクの色再現が大きく色相シフトを生じる場合には、ＬＣインクの色再現も同様に色相シフトを生じ、その結果、色相シフトの補償効果は低くなる。
【００２６】
特許文献２に記載の基本色と特色を用いる色分解は、そもそも基本色色剤の発色特性を補償すること自体が考慮されていない。この場合、図２のＷ−Ｃライン４１上のデバイス色の色分解は、図３に示したようにＷ点からＣ点へＣインク単色の単調増加となる色分解となる場合がある。この場合に、発色特性についてある程度の妥協がなされた記録剤を用いると、図５〜図７に示したライン１２０１の大きな色相シフトを生じることがある。
【００２７】
特許文献３、５、６および７には、デバイス２次色の色再現において、粒状感低減を目的としてハイライト部に特色を使用しない色分解が記載されている。これら文献には、特色が多用されるデバイス２次色の色分解について開示されているものの、デバイス１次色の色分解については何ら開示されていない。
【００２８】
同様に、特許文献７や特許文献８には、デバイス２次色において、明度が高く、かつ彩度が高い発色特性の特色インクを用いる場合の色分解が開示されているものの、デバイス１次色の色分解については何ら開示されていない。すなわち、これらの文献はデバイス１次色の色分解において色相シフトを補償することは示唆していない。
【００２９】
ところで、以上の特許文献には記載されない色分解として、基本色インクの使用量を、基本色インクが色相シフトを起こさない範囲に抑える、次のような色分解を考慮することができる。
【００３０】
この色分解では、図２のＷ−Ｃライン４１の色分解は、図３に示すものと同様、Ｗ点からＣ点に向けてＣインク単色の単調増加となるが、Ｃ点でのＣインク量が記録可能なインク打ち込み量よりも少なくなる。この場合、色再現域の最外郭をなす、図２のＢ−Ｃ−Ｇラインにおける色分解は、Ｍ、Ｙのインクについては、図４に示すものと同様、ＭインクがＢ点からＣ点の間で単調減少してＣ点で０となり、ＹインクはＧ点からＣ点に向けて単調減少してＣ点で０となる。一方、Ｃインクは、Ｂ点およびＧ点ではＣインク単色で記録可能な上限となるのに対し、Ｃ点では記録可能なインク打ち込み量よりも少なくなる。従って、Ｃインクのインク使用量は、図４ではＢ→Ｃ→Ｇ間で一定の直線であるのに対し、本例では、Ｂ点から谷となるＣ点を経由してＧ点まで下に凸の弧を描くものとなる。そして、このような色分解は、図１０に示すａ＊ｂ＊平面や図１１に示すＣ＊Ｌ＊平面における、Ｃインクのみの色再現ライン１２０１と同様になる。しかし、このラインの終端はライン１２０１の途中までの点１２０１Ｂとなる。この場合、図１０から分るように、色相のシフトが大きくなることを避けることができるが、図１１に示すように、再現可能な彩度Ｃ＊の値が低下する。つまり、このように基本色インクの使用量を抑制するだけでは、デバイス１次色の彩度が低下してしまい、色再現域が小さくなる弊害を生じる。
【００３１】
同様に、上記の各特許文献には記載されない色分解として、高彩度部で色相シフトを起こす基本色インクを、その他の基本色インクを用いて調色するものを考えることができる。この色分解では、図２のＷ−Ｃライン４１は、図1２に示すように、Ｗ点からＣ点に向かってＣインクは単調増加し、また、Ｗ−Ｃラインの途中から調色のためのＹインクを使い始めそれが単調増加するように色分解される。そして、Ｃ点はＣインクとＹインクの混色となる。なお、この場合の、図２のＢ−Ｃ−Ｇラインにおける色分解は、図１３に示すように、ＣインクはＢ点からＣ点を経由してＧ点まで一定である。また、ＭインクはＢ点からＣ点の間で単調減少してＣ点で０となり、ＹインクはＧ点からＣ点とＢ点の途中の所定の量まで単調減少し、Ｃ点では上記のとおりＣインクとＹインクの混色となり、Ｃ点とＢ点の途中で０となる。
【００３２】
この色分解によるＷ−Ｃライン４１の色再現域は、図１０や図１１において再現ライン１６０２（ラインの端は図１０において符号１６０２Ａで示される）として示される。図１０から分るように、色相シフトは抑制することができる。しかし、図１１に示すように、Ｃインク単色を用いる場合の再現ライン１２０１よりも大幅に彩度が低下する。すなわち、デバイス１次色を、複数の基本色インクの混色によって再現する場合には、デバイス１次色の彩度が低下してしまい、色再現域が小さくなるという問題を生じる。
【００３３】
本発明は、以上の問題を解決するためになされたものであり、その目的は、色相のシフトを抑制し、かつ高彩度を実現することが可能な画像処理装置、記録装置および画像処理方法を提供することにある。
【課題を解決するための手段】
【００３４】
そのために本発明では、３原色に対応した基本色記録剤と、前記基本色記録剤とは異なる色相を示す特色記録剤を用いて記録を行う記録装置であって、前記３原色のある１つの基本色記録剤の単位面積あたりの打ち込み量が最大となる色を、前記ある１つの基本色記録剤と、前記ある１つの基本色記録剤と他の１つの基本色記録剤との間の色相を示す特色記録剤を用いて再現することを特徴とする。
【００３５】
また、３原色に対応した基本色記録剤と当該基本色記録剤とは異なる色相を示す特色記録剤をと用いて表現可能な色を再現するための記録剤の量を定める色分解処理を実行する画像処理装置であって、前記３原色のある１つの基本色記録剤の単位面積あたりの打ち込み量が最大となる色を、前記ある１つの基本色記録剤と、前記ある１つの基本色記録剤と他の１つの基本色記録剤との間の色相を示す特色記録剤とを用いて再現するように、当該基本色記録剤および当該特色記録剤それぞれの量を定める色分解手段を具えたことを特徴とする。
【００３６】
他の形態では、色信号で特定される色（ＲＧＢで特定される色）を色再現するための記録剤の量を定める色分解処理を実行する画像処理装置であって、前記色信号で特定される所定の（色相がシフトする記録剤と同じ色相の１次色であること、および、Ｗ−Ｃ（−Ｋ）ラインのある部分（全部あるいは一部）の色であること；クレーム上は色空間の１点の色も含む）１次色を、３原色のある１つに対応した基本色記録剤と、前記ある１つに対応した基本色記録剤と他の１つの基本色記録剤との間の色相を再現する特色記録剤と、を用いて再現するように、当該基本色記録剤および当該特色記録剤それぞれの量を定める色分解手段を具えたことを特徴とする。
【００３７】
また、３原色に対応した基本色記録剤と当該基本色記録剤とは異なる色相を示す特色記録剤をと用いて表現可能な色を再現するための記録剤の量を定める色分解処理を実行するための画像処理方法であって、前記３原色のある１つの基本色記録剤の単位面積あたりの打ち込み量が最大となる色を、前記ある１つの基本色記録剤と、前記ある１つの基本色記録剤と他の１つの基本色記録剤との間の色相を示す特色記録剤とを用いて再現するように、当該基本色記録剤および当該特色記録剤それぞれの量を定める色分解工程を有したことを特徴とする。
【発明の効果】
【００３８】
以上の構成によれば、１次色を再現するのに基本色記録剤とその基本色記録剤と色相において隣に位置する他の基本色記録剤との間の色相を再現する特色記録剤とが用いられる。これにより、例えば、発色特性において、基本色記録剤が色相においてある方向に寄った特性を有している場合に、彩度が高くかつ基本色記録剤と一定の帯域で発色特性が重なる部分を持つ特色記録剤が、１次色の特に高濃度部で用いるようにすることができる。その結果、色相シフトを抑制し、また、高彩度を実現することが可能となる。
【発明を実施するための最良の形態】
【００３９】
以下、図面を参照して本発明の実施形態を詳細に説明する。
【００４０】
用語の定義
最初に、本明細書で用いる用語について以下のように定義する。
【００４１】
（１次色、２次色）
ディスプレイやプリンタなどのデバイスが扱う色信号の３原色にあたるものをデバイス１次色、このデバイス１次色のうち任意の２色を混色したものをデバイス２次色という。これは、以下で説明するように狭義の１、２次色である。
【００４２】
加法混色によって発色するディスプレイでは色Ｒ、Ｇ、Ｂがデバイス１次色であり、色Ｃ（＝Ｇ＋Ｂ）、Ｍ（＝Ｒ＋Ｂ）、Ｙ（＝Ｒ＋Ｇ）がデバイス２次色である。図２３にて後述する画像処理構成における色補正処理部１０１で入力色信号（Ｒ、Ｇ、Ｂ）によって特定される色のうち、Ｒ、Ｇ、Ｂはデバイス１次色であり、Ｃ、Ｍ、Ｙはデバイス２次色である。
【００４３】
また、減法混色によって発色するプリンタでは、色Ｃ、Ｍ、Ｙが１次色、色Ｒ（＝Ｍ＋Ｙ）、Ｇ（＝Ｃ＋Ｙ）、Ｂ（＝Ｃ＋Ｍ）が２次色である。図２３にて同様に後述する色変換処理部１０２で入力色信号（Ｒ、Ｇ、Ｂ）によって特定される色のうち、色Ｃ、Ｍ、Ｙはデバイス１次色であり、色Ｒ、Ｇ、Ｂはデバイス２次色である。
【００４４】
一方、広義には、デバイスが持つ原色、すなわち、デバイスが単色記録によって再現できる色を１次色、これらの原色のうち任意の２色の混色を２次色という。
【００４５】
本明細書では、以上の狭義と広義の１次色、２次色の混同を避けるべく、狭義の１、２次色をそれぞれデバイス１、２次色、広義の１、２次色を単に１、２次色という。
【００４６】
さらに、プリンタのインクの出力データを生成する色分解処理を記載する本明細書では、色分解テーブルにおいて、図２のＷ−Ｃ−Ｋ、Ｗ−Ｍ−Ｋ、Ｗ−Ｙ−Ｋライン上の点（格子点を含む）を定める色信号で特定される色をデバイス１次色ということができる。同様に、図２のＷ−Ｒ−Ｋ、Ｗ−Ｇ−Ｋ、Ｗ−Ｂ−Ｋライン上の点（格子点を含む）の色信号で特定される色をデバイス２次色とする。
【００４７】
（基本色インク（記録剤）と準基本色インク（記録剤））
本明細書では、減法混色の３原色であるＣＭＹの３色のインクを基本色インク、これと同系色であるか、または無彩色であるＬＣ、ＬＭ、Ｇｒｙ、ＬＧｒｙ、Ｋのインクを準基本色インクと呼ぶ。
【００４８】
（人間の視覚特性に即した色空間）
本明細書では、色再現域の比較や色相の特定に際して、人間の視覚特性に即した色空間としてＣＩＥ−Ｌ＊ａ＊ｂ＊空間を用いているが、これに限られるものではない。例えば、ＸＹＺ、ＣＩＥ−Ｌ＊ａ＊ｂ＊、Ｌ＊ｕ＊ｖ＊、マンセル表色系、Ｙｘｙ、Ｌ＊Ｃ＊ｈ＊などの任意の色空間を用いることができる。本明細書に記載のＣＩＥ−Ｌ＊ａ＊ｂ＊色空間によって規定されている部分は、もちろんＣＩＥ−Ｌ＊ａ＊ｂ＊色空間以外の上述した色空間を用いて規定することもできる。
【００４９】
（淡インク）
インクジェットプリンタにおいて、紙面上のドット充填率の低いハイライト部でのドットの粒状感を低減するため、通常用いられるレギュラーインク（濃インク）と略同系色で色材濃度の低いインクが用いられる。シアン（Ｃ）に対する淡シアン（ＬＣ）、マゼンタ（Ｍ）に対する淡マゼンタ（ＬＭ）が一般的であるが、グレー（Ｇｒｙ）に対する淡グレー（ＬＧｒｙ）なども用いられることがある。濃インクと淡インクそれぞれのインク組成は、色材濃度が異なるだけの場合もあるし、色材自体が異なるものを用いる場合がある。従って、濃、淡インクは略同系色だが、若干色が異なることもある。淡インク以外の呼称として、フォトインク、ライトインクなどがある。
【００５０】
（特色）
本明細書において「特色」とは、広義には、基本色記録剤であるイエロー、マゼンタ、シアンの色相とは異なる色のことを指す。また、狭義には、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い明度を表現でき、かつ上記任意の２つの記録剤の組み合わせにより表現される色再現領域内の色相角を示す色のことを指す。あるいは、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い彩度を表現でき、かつ上記任意の２つの記録剤の組み合わせにより表現される色再現領域内の色相角を示す色のことを指す。
【００５１】
本発明を適用する上で、上述した狭義の意味の「特色」の記録剤を用いることが好ましいが、広義の意味の「特色」の記録剤を使用することもできる。また、本明細書では、特色インクとして、Ｙ−Ｃ間の色相の特色Ｇインク、Ｃ−Ｍ間の色相の特色Ｂインクおよび特色Ｖインク、Ｍ−Ｙ間の色相の特色Ｒインクおよび特色Ｏインクを例として用いる。ここで、Ｇインクはグリーンインク、Ｂインクはブルーインク、Ｖインクはバイオレットインク、Ｒインクはレッドインク、Ｏインクはオレンジインクを指す。
【００５２】
（打ち込み量）
本明細書において、「打ち込み量」とは、単色のインクによって単位面積あたりに付与されるインク付与量のことを指す。総打ち込み量とは、色分解テーブルに応じて使用されるインク種すべてでの打ち込み量の総量のことを指す。なお、（インク）デューティー、（インク）付与量、（インク）塗布量なども同義に用いられる。
【００５３】
記録媒体が受容可能なインク打ち込み総量には上限があり、単位面積、単位時間あたりに付与されるインク量や、インク物性、記録媒体物性に応じて、異なる値となる。この上限は、一般に、記録解像度が高ければ高いほど、高速記録によって単位時間あたりのインク付与量が多ければ多いほど、インク物性として浸透度が低ければ低いほど、記録媒体特性としてインク受容層が薄ければ薄いほど、少なくなる傾向にある。
【００５４】
（混色と混合）
本明細書において、「混色」とは、面積変調方式によって、複数色のインクが紙面に記録される状態を指す。例えば染料系インクを用いて先に記録したインクが十分に乾燥する前に記録されるような場合には、この「混色」という表現が適当である。これに対し、顔料系のように先に記録したインクの上に次のインクが記録されると後に記録されたインクが先に記録されたインクを覆ってしまうような場合には、「積層」という表現が適当であるが、本明細書では、記載する内容に応じて選択的に用いる。
【００５５】
また、本明細書において「混合」インクとは、複数種のインクがインク液滴の状態で混合されたものを指す。これは上記の染料系インクにおける「混色」と類似の意味となるが、本明細書では、対象とする色剤を染料に限定しないので、意識的に両者を区別して用いる。
【００５６】
（色の名称）
本明細書では、色の名称として以下を使用し、それぞれ記載する内容に応じて選択的に用いる。
【００５７】
Ｗｈｉｔｅ、Ｗ、ホワイトは、白のことを示す。Ｂｌａｃｋ、Ｂｋ，Ｋ、ブラックは、黒のことを示す。Ｃｙａｎ、Ｃは、シアンのことを示す。Ｍａｇｅｎｔａ、Ｍは、マゼンタのことを示す。Ｙｅｌｌｏｗ、Ｙ、イエローは、黄のことを示す。Ｒｅｄ，Ｒ，レッドは、赤のことを示す。Ｇｒｅｅｎ，Ｇ，グリーンは、緑のことを示す。Ｂｌｕｅ，Ｂ，ブルーは、青のことを示す。Ｏｒａｎｇｅ、Ｏ，オレンジは、橙のことを示す。Ｖｉｏｌｅｔ、Ｖ，バイオレットは、紫のことを示す。ＬｉｇｈｔＣｙａｎ、ＬＣ、ＰＣ，ライトシアン、フォトシアンは、淡シアンのことを示す。ＬｉｇｈｔＭａｇｅｎｔａ、ＬＭ、ＰＭ，ライトマゼンタ、フォトマゼンタは、淡マゼンタのことを示す。Ｇｒａｙ，Ｇｒｙ，グレイは、灰のことを示す。ＬｉｇｈｔＧｒａｙ，ＬｉｇｈｔＧｒｙ、ＬＧｒｙ、ライトグレイ、フォトグレイは、淡灰のことを示す。
【００５８】
色彩工学に関する事項
次に、本明細書の説明で用いる色彩工学に関するいくつかの事項について簡単に説明する。
【００５９】
（反射原稿の発色とその知覚メカニズム）
図１４は、反射原稿における色の知覚メカニズムを説明する模式図である。図１４に示す領域Ａ、Ｂ、Ｃは、それぞれ、光の照射、原稿による吸光と一部の帯域の反射、人間の視覚による認識に対応している。以下ではグリーンの測定用パッチが記録された反射原稿を白色光下で観察した場合について、発色とその知覚のメカニズムを説明する。
【００６０】
白色光源５０１からは、長波長の可視光（赤色の光）５０２、中波長の可視光（緑色の光）５０３、短波長の可視光（青色の光）５０４が混在して放射されている。
【００６１】
白色光源５０１からの光は、反射原稿５０６の着目するパッチ５０５に入射し、その一部である長波長の光５０２と短波長の光５０４が吸収される。一方で、吸収されなかった中波長の光５０３が、原稿から反射し、反射光５０７として人間の目５０８に届く。
【００６２】
白色光は、グラフ５０９およびその詳細な図１５に示すように、視覚に感ずる３８０［ｎｍ］から７３０［ｎｍ］の波長帯域全域について放射されるものである。一方、パッチ部の反射特性はグラフ５１０およびその詳細な図１６に示すように短波長と長波長をカットし、かつ中波長域を通過させるバンドパスフィルタとなっている。従って、白色光５０５は、バンドパスフィルタの特性５１０によって、短波長９０４と長波長９０２をカットされ、中波長域（グリーン色の領域）９０７のみが残り、人間の目５０８に届く。
【００６３】
人間の目５０８に入射した光は、グラフ５１１およびその詳細な図１７に示す３種の異なる応答特性を持つ等色関数に従って知覚される。中波長域の光５０７は、５００［ｎｍ］付近にピークをもつことから、ｚ等色関数には、ほとんどかからないが、ｙ等色関数、ｘ等色関数の順に強く知覚される。
【００６４】
これらの光の照射と反射および光の認識の過程は、波長λについての積分を用いて、以下の式−数１、数２、数３で表される。
【００６５】
【数１】
2007318671.tif 000003
【００６６】
概略、Ｘ値は主にレッド領域、Ｙ値はグリーン領域、Ｚ値はブルー領域の光に対して応答するものであり、特にＹ値は、明るさも示している。
【００６７】
さらに、色空間におけるユークリッド距離が色の違い（色差）と一致する均等色空間となるように変形した座標値（Ｌ＊、ａ＊、ｂ＊）は、以下の、式−数４を使用して、式−数５、数６、数７で表される。
【００６８】
【数２】
2007318671.tif 000004
【００６９】
（スペクトルと色再現）
図１８、図１９および図２０は、波長ごとに、ｘｙｚ等色関数と、反射原稿からの反射光（白色光源下の場合、原稿の分光反射率と同様の傾向を示す）を比較して示す図である。図の横軸に対して、下側が三刺激値、上側が反射光の放射エネルギー（∝分光反射率）となっている。なお、反射光がない状態が黒で、図中に示した「紙白」が白である。
【００７０】
（スペクトルと明度）
明るさ（明度）は、Ｙ値であらわされる。式−数２で示すＹ値を大きく（明るく）するには、ｙ等色関数の応答が活発な帯域で、より大きな振幅の光を当てればよい。従って、図１８において、波長帯域が同じ場合、振幅が小さい反射光９０１は暗く、振幅が大きい光９０２は明るい。なお、明度は、Ｌ＊ａ＊ｂ＊表色系において、Ｌ＊で表される。
【００７１】
（スペクトルと色相）
色合いを示す色相は、反射光の放射（波長）帯域による。図１９において、振幅、波長帯域幅が同じ場合、短波長域にある反射光１００１は青く、波長が長くなるにしたがって、緑、黄へとシフトし、より長波長域にある反射光１００２は赤い。なお、色相は、Ｌ＊ａ＊ｂ＊表色系では、以下の式−数９の色相角θであらわされる。
【００７２】
【数３】
2007318671.tif 000005
【００７３】
（スペクトルと彩度）
鮮やかさを示す彩度は、反射光の帯域幅の狭さと振幅の高さによる。図２０において、同じ振幅の場合、帯域の広い反射光１１０１は、より多くの色相の光の重ね合わせとなっていることから彩度が低く、帯域の狭い反射光１１０２は彩度が高い。また、同じ帯域幅の場合、振幅の小さい反射光１１０２よりも、振幅の大きい反射光１１０３の方が彩度が高い。なお、彩度は、Ｌ＊ａ＊ｂ＊表色系では、以下の式−数８の彩度Ｃ＊であらわされる。
【００７４】
【数４】
2007318671.tif 000006
【００７５】
（インクの混色とスペクトル）
インクジェットプリンタなどの面積変調型の記録方式では、紙面をミクロに見ると、紙白がそのまま露出している部分、第１のインクによって覆われている部分、第２のインクによって覆われている部分、第１のインクと第２のインクが紙面上で混ざったり（混色）重なったり（積層）している部分、それぞれと同じインクが重なっている部分などが混在し、紙面に対して層状にはなっていない。また、染料のような色材分子が小さく浸透度の高いインクの場合は、紙面深さ方向にもインクは広がりを持ち、かつ紙面深くに浸透したインクも色再現に影響を及ぼす。これに対し、顔料のような色材分子が大きく、浸透度の低いインク滴は比較的紙面上にとどまり、また、表面の色剤が比較的優勢になりがちである。さらに、紙面のインク滴がオプティカルドットゲインを生じさせることからもわかるように、記録されたインクドットの上に照射された光以外に、インクドットのない領域に照射された光も紙面上を伝ってインクに吸光されることがある。このため、紙面上のインクドットの色再現とメカニズムを精確に捉えることは容易ではない。
【００７６】
しかし、インクの混色とスペクトルの関係を概略で捉えるには、第１層のインクによってフィルタリング（吸光）された後で、第２層のインクによってフィルタリングされると考えることができる。なお、ここで厳密には、第１層で吸光された光は、第２層の特性に関わらず紙面から反射されることはないはずであるから、紙面上の記録状態が層状となっている場合には、層の順番が重要である。
【００７７】
以下、本発明の一実施形態に係る色分解処理について詳細に説明する。なお、以下で説明する実施形態は発明を説明するための一例にすぎず、本発明の範囲を制限するものではないことはもちろんである。
【００７８】
＜第１の実施形態＞
図２１は、本発明の一実施形態に係るインクジェットプリンタとホストコンピュータを有して構成される記録システムの概略構成を示す図である。図２１において、インクジェットプリンタ１３には、複数（７色）のヘッドカートリッジ（記録部）１Ａ、１Ｂ、１Ｃ、１Ｄ、１Ｅ、１Ｆ，１Ｇが、キャリッジ２に着脱可能に搭載されている。なお、複数の記録部１Ａ〜１Ｇの全体または任意の一つを指す場合、単に記録部（記録ヘッドまたはヘッドカートリッジ）１で示すことにする。
【００７９】
各ヘッドカートリッジ１は、それぞれ、上部にインクタンク部を、下部に記録ヘッド部（インク吐出部）を有しており、記録ヘッドとインクタンクを一体化した構造を有している。なお、記録ヘッドとインクタンクが相互に着脱できる構成であってもよいことはもちろんである。それぞれの記録部１はキャリッジ２に位置決めして交換可能なように搭載されており、各記録部１のそれぞれには、記録ヘッド部を駆動するための信号などを受けるためのコネクター（不図示）が設けられている。一方、キャリッジ２には、上記コネクターを介して各記録部１に駆動信号等を伝達するためのコネクターホルダー（電気接続部）が設けられている。そして、キャリジ２上の各記録部１と装置本体側の制御回路とは、信号パルス電流や温調用電流を流すためのフレキシブルケーブルで接続される。
【００８０】
各ヘッドカートリッジ１Ａ〜１Ｇはそれぞれのインクタンク部に、１ＡはＫのインク、１Ｂ、１Ｃ、１ＤはそれぞれＣ、Ｍ、Ｙのインク、１Ｅ、１Ｆ、１Ｇにはそれぞれ、Ｒ、Ｇ、Ｂのインクが収納されている。また、各記録ヘッド部それぞれの記録媒体８と対向する面（図示の例では、不図示の下向きの面）に、インクを吐出するための吐出口が所定の配列を成して形成され、それぞれ収納されたインクを吐出することができる。
【００８１】
キャリッジ２は、主走査方向に延在させて装置本体に設置されたガイドシャフト３に沿って往復移動が可能なように案内支持されている。そして、キャリッジ２は、主走査モータ４によって、モータプーリ５、従動プーリ６およびタイミングベルト７を介して駆動され、その位置、速度が制御されて移動する。用紙やプラスチックシート等の記録媒体８は、２組の搬送ローラ対９、１０および１１、１２の間で挟持され、これらの搬送ローラの回転により記録ヘッド１の吐出口面と対向する位置（記録部）を通って搬送（紙送り）される。なお、記録媒体８は、記録部において平坦な記録面を形成するように、その裏面をプラテン（不図示）により支持されている。この場合、キャリッジ２に搭載された各ヘッドカートリッジ１は、それらの吐出口面がキャリッジ２から下方へ突出して上記２組の搬送ローラ対の間で記録媒体８と平行になるように保持されている。
【００８２】
これらが一体となって構成されたインクジェットプリンタ１３は、ホストコンピュータ１４にケーブル１５を介して接続され、ホストコンピュータ１４内にインストールされたプリンタドライバによって制御される。
【００８３】
図２２は、図２１に示した記録システムの主にホストコンピュータの構成を示すブロック図である。ホストコンピュータ１４は、ＣＰＵ２０２、ＲＡＭやＲＯＭなどのメモリ２０３、ハードディスクなどの外部記憶装置２０４を備える。さらに、キーボードやマウスなどの入力デバイスが接続される入カ部２０５やプリンタなどの周辺機器が接続可能なインターフェイス２０６を備える。これらの各部はシステムバスを介して相互に接続されている。ＣＰＵ２０２は、メモリ２０３に格納されたプログラムを実行することにより、図２３にて後述する画像処理を実行する。このプログラムは外部記憶２０４などに記憶されており、必要に応じて外部装置２０４からメモリ２０３に供給される。
【００８４】
ホストコンピュータ１４は、インターフェイス２０６を介してプリンタ１３に接続され、画像処理を施した画像データをプリンタ１３に送り、記録動作を行わせる。
【００８５】
図２３は、ホストコンピュータ１４において実行される画像処理の主要な機能を示すブロック図であり、入力されるＲ、Ｇ、Ｂ各色８ビット（２５６階調）の画像データをＣ、Ｍ、Ｙ、Ｋ、Ｒ、Ｇ、Ｂ各色１ビットの記録データとして出力する処理を示している。なお、この処理は、ホストコンピュータ１４上で動作するプリンタドライバとして実現される。
【００８６】
入力データであるＲ、Ｇ、Ｂ各色８ビットの画像データは、色補正処理部１０１で、プリンタ１３が再現できる色域色であるＲ、Ｇ、Ｂ各色８ビットの画像データに補正される。この処理は３次元ルックアップテーブル（ＬＵＴ）を用い、補間演算を併用して行われる。具体的には、例えばｓＲＧＢモニタによる色再現など所望の色再現を得るために、ガマットマッピング技術を用いて、プリンタ１３の色再現域を、Ｌ＊ａ＊ｂ＊などの均等色空間上で、適切な色目標に結びつけるカラーマッチングを行う。このガマットマッピング技術は、公知のものを用いることができる。なお、色補正処理は、必ずしもテーブルを用いて行う必要はなく、適切な線形、非線形な色補正関数によって色補正処理を行ってもよい。
【００８７】
次に、色変換処理部１０２では、図２５などにて後述される色分解処理が行われ、ＲＧＢ画像データが、Ｃ、Ｍ、Ｙ、Ｋ、Ｒ、Ｇ、Ｂ各色８ビットの画像データに変換される。この処理も３次元ＬＵＴに補間演算を併用して行う。この処理によって、色信号ＲＧＢで表される画像をプリンタを用いて再現する際のインクの色信号Ｃ、Ｍ、Ｙ、Ｋ、Ｒ、Ｇ、Ｂの組合せが定まる。
【００８８】
色変換処理によって得られたＣ、Ｍ、Ｙ、Ｋ、Ｒ、Ｇ、Ｂ各色８ビットの画像データは、出力ガンマ補正部１０３で、１次元ＬＵＴを用いて出力ガンマ補正が施される。出力ガンマ補正は、多くの場合、線形にならない単位面積当りの記録ドット数と出力特性（反射濃度等）との関係を補正して、入力されるＣ、Ｍ、Ｙ、Ｋ、Ｒ、Ｇ、Ｂ各色８ビットの画像データと、形成される画像の出力特性との線形関係を保証するものである。
【００８９】
さらに、Ｃ、Ｍ、Ｙ、Ｋ、Ｒ、Ｇ、Ｂ各色８ビットの画像データは、量子化処理部１０４で、プリンタ１３の記録機構に応じて量子化される。例えば、プリンタ１３が２値プリンタであれば、Ｃ、Ｍ、Ｙ、Ｋ、Ｒ、Ｇ、Ｂ各色１ビットのデータに量子化（２値化）される。この量子化方法は、公知の誤差拡散法やディザ法を用いることができる。なお、この量子化処理では、例えば４値などの２値より大きな量子化を行い、プリンタにおいて、その４値のデータに基づいてドットパターン展開を行うことにより、最終的に記録ヘッドを駆動するための２値データを得るような形態であってもよい。
【００９０】
インク色材について
次に、本実施形態で好ましく用いることができる基本色であるイエロー、マゼンタ、シアンおよびブラックのインクと、特色であるレッド、グリーンおよびブルーのインクの色材は次のとおりである。
【００９１】
本実施形態の基本色（イエロー、マゼンタおよびシアンの三原色にブラックを加えたもの）のインクに用いる色材としては、染料または顔料のいずれかを用いることができる。
【００９２】
中でも、顔料は、顔料粒子間で凝集しやすい特性がある。このために顔料では、後述の通り、混色した場合に彩度が低下しやすく、本発明の色分解方法をより効果的に適用できる。また、一般に、顔料はインク溶媒に不溶な色材が粒子を形成して発色に関与しているため、吸収スペクトルが広くなり、反射光、散乱光の混入もあって、染料に比べ、基本色インクの彩度が低くなりがちである。このような基本色インクの彩度が低くなりがちである分、本発明の特色インクの併用によって彩度を保持する技術をより効果的に適用することができる。
【００９３】
Ｃ、Ｙ、Ｇインクの発色特性
図２４は、基本色Ｃインク、基本色Ｙインクおよび特色Ｇインクそれぞれの発色特性を示す反射スペクトルである。基本色Ｃインクは、シアン成分のほか波長の短いブルー領域でも比較的高い反射率をもつ。また、特色Ｇインクは、基本色Ｃインクと同様のスペクトル形状だが、グリーン寄りにピークを持ち、より反射帯域が狭くなっている。基本色Ｙインクは、イエローおよびレッド領域で高い反射率を持ち、グリーンからシアン、ブルー領域にかけて低い反射率となっている。
【００９４】
以上から、基本色Ｃインクは、ブルー寄りの発色となっており、特色Ｇインクは、彩度が高く、かつ基本Ｃインクとグリーンの帯域でオーバーラップする部分を多く持つものである。また、基本色Ｙインクは、基本色Ｃインクと、グリーンの帯域でオーバーラップする部分が少ない。
【００９５】
インク組成
本実施形態の基本色Ｃインクおよび特色Ｇインクの色材の具体例は以下のものが挙げられ、上記条件に適合するものを選択することができる。
【００９６】
（水性媒体）
本発明にかかる水性インクは、水及び、水溶性有機溶剤との混合溶媒を含むが、水溶性有機溶剤としては、下記に列挙したようなものの中から選択することができる。水溶性有機溶剤としては、具体的には、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；ポリエチレングリコールモノメチルエーテルアセテート等の低級アルキルエーテルアセテート；グリセリン；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；Ｎ−メチル−２−ピロリドン、２−ピロリドン、１，３−ジメチル−２−イミダゾリジノン等が挙げられる。又、水としては、脱イオン水を使用することが望ましい。
【００９７】
本発明にかかる水性インク中の水溶性有機溶剤の含有量は特に限定されないが、インク全質量に対して、好ましくは３〜５０質量％の範囲とすることが好適である。又、インクに含有される水の量は、インク全質量に対して、好ましくは５０〜９５質量％の範囲とすることが好ましい。
【００９８】
（色材）
次に、本発明にかかる色材について説明する。本発明にかかる水性インクを構成する色材としては、水性インクとして用いることのできる色材であれば、特に限定されるものではない。具体的には、アニオン性基を有する水溶性染料や、分散剤を用いる樹脂分散タイプの顔料（樹脂分散型顔料）、顔料粒子の表面に親水性基を導入した自己分散タイプの顔料（自己分散型顔料）、顔料粒子の表面に高分子を含む有機基が化学的に結合している改質された顔料（樹脂結合型自己分散顔料）、水不溶性色材自体の分散性を高めて分散剤等を用いることなく分散可能とした、マイクロカプセル型顔料等の顔料を用いることが出来る。色材のインク全量に対する割合としては、０．１〜１５質量％、より好ましくは１〜１０質量％である。以下、本発明に用いることのできるこれらの染料及び顔料について説明する。
【００９９】
（顔料）
本発明にかかる水性インクにおいて使用することのできる顔料は特に限定されず、下記に挙げるようなものをいずれも使用することができる。
【０１００】
黒色インクに使用される顔料としては、カーボンブラックが好適である。例えば、ファーネスブラック、ランプブラック、アセチレンブラック、チャンネルブラック等のカーボンブラックをいずれも使用することができる。具体的には、例えば、レイヴァン（Ｒａｖｅｎ）７０００、レイヴァン５７５０、レイヴァン５２５０、レイヴァン５０００ＵＬＴＲＡ、レイヴァン３５００、レイヴァン２０００、レイヴァン１５００、レイヴァン１２５０、レイヴァン１２００、レイヴァン１１９０ＵＬＴＲＡ−ＩＩ、レイヴァン１１７０、レイヴァン１２５５（以上、コロンビア社製）、ブラックパールズ（Ｂｌａｃｋ  Ｐｅａｒｌｓ）Ｌ、リーガル（Ｒｅｇａｌ）４００Ｒ、リーガル３３０Ｒ、リーガル６６０Ｒ、モウグル（Ｍｏｇｕｌ）Ｌ、モナク（Ｍｏｎａｒｃｈ）７００、モナク８００、モナク８８０、モナク９００、モナク１０００、モナク１１００、モナク１３００、モナク１４００、モナク２０００、ヴァルカン（Ｖａｌｃａｎ）ＸＣ−７２Ｒ（以上、キャボット社製）、カラーブラック（Ｃｏｌｏｒ  Ｂｌａｃｋ）ＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス（Ｐｒｉｎｔｅｘ）３５、プリンテックスＵ、プリンテックスＶ、プリンテックス１４０Ｕ、プリンテックス１４０Ｖ、スペシャルブラック（Ｓｐｅｃｉａｌ  Ｂｌａｃｋ）６、スペシャルブラック５、スペシャルブラック４Ａ、スペシャルブラック４（以上、デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上、三菱化学社製）等の市販品を使用することができる。又、本発明のために別途新たに調製されたカーボンブラックを使用することもできる。しかし、本発明は、これらに限定されるものではなく、従来公知のカーボンブラックをいずれも使用することができる。又、カーボンブラックに限定されず、マグネタイト、フェライト等の磁性体微粒子や、チタンブラック等を黒色顔料として用いてもよい。
【０１０１】
有機顔料としては、具体的には、例えば、トルイジンレッド、トルイジンマルーン、ハンザエロー、ベンジジンエロー、ピラゾロンレッド等の不溶性アゾ顔料、リトールレッド、ヘリオボルドー、ピグメントスカーレット、パーマネントレッド２Ｂ等の溶性アゾ顔料、アリザリン、インダントロン、チオインジゴマルーン等の建染染料からの誘導体、フタロシアニンブルー、フタロシアニングリーン等のフタロシアニン系顔料、キナクリドンレッド、キナクリドンマゼンタ等のキナクリドン系顔料、ペリレンレッド、ペリレンスカーレット等のペリレン系顔料、イソインドリノンエロー、イソインドリノンオレンジ等のイソインドリノン系顔料、ベンズイミダゾロンエロー、ベンズイミダゾロンオレンジ、ベンズイミダゾロンレッド等のイミダゾロン系顔料、ピランスロンレッド、ピランスロンオレンジ等のピランスロン系顔料、インジゴ系顔料、縮合アゾ系顔料、チオインジゴ系顔料、ジケトピロロピロール系顔料、フラバンスロンエロー、アシルアミドエロー、キノフタロンエロー、ニッケルアゾエロー、銅アゾメチンエロー、ペリノンオレンジ、アンスロンオレンジ、ジアンスラキノニルレッド、ジオキサジンバイオレット等が挙げられる。勿論、これらに限定されず、その他の有機顔料であってもよい。
【０１０２】
又、本発明で使用することのできる有機顔料を、カラーインデックス（Ｃ．Ｉ．）ナンバーにて示すと、例えば、Ｃ．Ｉ．ピグメントイエロー１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５、Ｃ．Ｉ．ピグメントオレンジ１６、３６、４３、５１、５５、５９、６１、７１、Ｃ．Ｉ．ピグメントレッド９、４８、４９、５２、５３、５７、９７、１２２、１２３、１４９、１６８、１７５、１７６、１７７、１８０、１９２、２１５、２１６、２１７、２２０、２２３、２２４、２２６、２２７、２２８、２３８、２４０、２５４、２５５、２７２、Ｃ．Ｉ．ピグメントバイオレット１９、２３、２９、３０、３７、４０、５０、Ｃ．Ｉ．ピグメントブルー１５、１５：１、１５：３、１５：４、１５：６、２２、６０、６４、Ｃ．Ｉ．ピグメントグリーン７、３６、Ｃ．Ｉ．ピグメントブラウン２３、２５、２６等が例示できる。
【０１０３】
又、顔料をインク中に分散させるための分散剤としては、水溶性樹脂であればどのようなものでも使用することができるが、重量平均分子量が１，０００〜３０，０００の範囲のものが好ましく、更には、３，０００〜１５，０００の範囲のものが好ましい。このような分散剤として、具体的には、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、及びその誘導体等から選ばれた少なくとも２つの単量体（このうち少なくとも１つは親水性単量体）からなるブロック共重合体、或いはランダム共重合体、グラフト共重合体、又はこれらの塩等が挙げられる。或いは、ロジン、シェラック、デンプン等の天然樹脂も好ましく使用することができる。これらの樹脂は、塩基を溶解させた水溶液に可溶であり、アルカリ可溶型樹脂である。尚、これらの顔料分散剤として用いられる水溶性樹脂は、インク全質量に対して０．１〜５質量％の範囲で含有させるのが好ましい。
【０１０４】
（その他の成分）
本発明にかかる水性インクは、保湿性維持のために、上記した成分の他に、尿素、尿素誘導体、トリメチロールプロパン、トリメチロールエタン等の保湿性固形分をインク成分として用いてもよい。尿素、尿素誘導体、トリメチロールプロパン等の、保湿性固形分のインク中の含有量は、一般には、インクに対して０．１〜２０．０質量％の範囲とすることが好ましく、より好ましくは３．０〜１０．０質量％の範囲である。
【０１０５】
また、本発明のインクジェット記録装置用インクは、上記成分以外にも必要に応じて、ｐＨ調整剤、防錆剤、防腐剤、防黴剤、酸化防止剤、還元防止剤、蒸発促進剤等の、種々の添加剤を含有させてよい。
【０１０６】
色分解方法
色変換処理部１０２（図２３）で用いられる３次元ＬＵＴ形態の色分解テーブルの作成は、次のように行われる。最初に、図２に示す立方体においてＬＵＴの格子点を規定する。本実施形態では、ＬＵＴの格子点は、入力するＲＧＢ各８ビットデータのうち、例えば上位４ビットによって規定される。この場合、ＲＧＢ信号に応じて、図２に示す立方体で２４×２４×２４個の格子点が規定される。また、入力するＲＧＢ各８ビットデータのうち下位４ビットのデータは、補間演算における重み付け（内分比）データとして用いられる。ここで、図２における格子点Ｗｈｉｔｅは、色信号の組（Ｒ、Ｇ、Ｂ）が（２５５、２５５、２５５）で特定される点（格子点）である。同様に、Ｃｙａｎは（０、２５５、２５５）、Ｍｇｅｎｔａは（２５５、０、２５５）、Ｙｅｌｌｏｗは（２５５、２５５、０）でそれぞれ特定される点である。さらに、Ｒｅｄは（２５５、０、０）、Ｇｒｅｅｎは（０、２５５、０）、Ｂｌｕｅは（０、０、２５５）でそれぞれ特定される点である。また、ｂｌａｃＫは（０、０、０）で特定される点である。
【０１０７】
次に、このような格子点が規定された図２の立方体において、本実施形態の色分解方法によってインク量（Ｙ、Ｍ、Ｃ、Ｋ、Ｒ、Ｇ、Ｂ各８ビットの値）を定める格子点を選択する。詳細には、図２における、Ｗ−Ｃ（Ｂ、Ｍ，Ｒ，Ｙ，Ｇ）なるライン、Ｃ（Ｂ、Ｍ、Ｒ、Ｙ、Ｇ）−Ｋなるライン、Ｃ−Ｂ、Ｃ−Ｇ、Ｂ−Ｍ、Ｍ−Ｒ、Ｒ−Ｙ、Ｙ−Ｇの各ラインおよびＷ−Ｋラインそれぞれにおける格子点について、色分解処理を行い、インク量を決定する。この格子点データとしての各色インク量の組合せはそれぞれの格子点に対応付けてテーブルデータとして格納される。
【０１０８】
さらに、上記のように定めた各ラインの格子点データに基づき、立方体において上記のライン以外の格子点のインク量を補間によって求める。この方法としては、例えば、特許文献９に開示されているような補間技術を用いることができる。これら求めたライン以外の格子点データも、同様に格子点に対応させて格納される。
【０１０９】
本発明の一実施形態では、デバイス１次色を再現する、図２のＷ−Ｃライン４１上の格子点の格子点データを、図２５に示すような各色インク量で再現するような色分解データとする。すなわち、Ｗ（Ｗｈｉｔｅ）点からＣ（Ｃｙａｎ）点に向かってＣインクは単調増加する。また、Ｗ点からＣ点に向かう途中から調色のための特色Ｇインクが単調増加して用いられ、Ｃ点では基本色Ｃインクと特色Ｇインクの混色となる。このようにＣインクの単位面積あたりの打ち込み量が最大となるＣ（Ｃｙａｎ）点の色を表現する場合に、通常、基本色Ｃインクのみを用いるところ、本実施形態では、基本色Ｃインクと特色Ｇインクを用いるのである。これにより最大濃度のＣ画像の領域が基本色Ｃインクと特色Ｇインクの混色により表現されることになる。
【０１１０】
また、図２５に示すように、ＧインクはＣ点からＫ点向かって徐々に減少し、Ｋ（ｂｌａｃＫ）点で０となる。これとともに、Ｋインクが途中から使用され始めＫ点で最大となる。なお、このラインにおけるＧインクの使い方はこれに限られないことはもちろんである。
【０１１１】
さらに、このＣ−Ｋ間では、基本色成分Ｃとその調整成分Ｇに対する補色成分として、ＭインクおよびＹインクが用いられる。なお、この補色成分として、ＭおよびＹの代わりに特色Ｒ単色や、特色Ｒとその調色のためのＭまたはＹのいずれかを使用することもできる。また、明度領域によって上記の補色を使い分けることもできる。例えば、Ｃ点付近では、インク打ち込み量に余裕があり、かつ粒状度に留意する必要があるので、ＭおよびＹを補色として使用し、暗部では、インク打ち込み量に余裕がなく、粒状度に留意する必要性が低いことから、特色Ｒを補色成分として使用することもできる。また、グレーインクを使用するシステムであれば、上記の補色成分の代わりに適宜グレーインクを使用することもできる。本発明の適用は、これらのＧ−Ｋラインの色分解によって制限されるものではないことはもちろんである。
【０１１２】
なお、図２５の横軸においてＷ−Ｃライン４１上の格子点は、実際は離散的な位置で示されるものである。従って、それに対応するインク量も離散的は点として本来示されるが、説明の簡略化のため、連続的にインク量が変化するように示している。
【０１１３】
図２のＢ−Ｃ−Ｇライン上の格子点およびＧ−Ｙライン上の格子点に対する色分解は、図２６に示すものとなる。すなわち、ＣインクはＢ点からＣ点まで一定で、Ｃ点からＧ点まで単調減少しＧ点で０となる。また、ＭインクはＢ点からＣ点まで単調減少して、Ｃ点で０となる。さらに、調色のために使用する特色Ｇインクは、Ｂ点とＣ点の途中からＣ点を経由してＧ点まで単調増加しＧ点で最大となる。
【０１１４】
さらに、Ｇインクは、Ｇ点からＹ点に向けて単調減少する。そして、このＧ−Ｙ間ではＹインクが単調増加する。この色分解で、Ｃ点は、図２５に示したように、基本色Ｃインクと特色Ｇインクの混色となる。なお、このＧ−Ｙ間では、Ｇ点を特色Ｇインクだけで再現するものとしているが、調色を目的として、特色Ｇインクと基本色Ｃインクや、特色Ｇインクと基本色Ｙインクの２色によって再現することもできる。また、特色Ｇインクを付与可能な最大量まで使用しても、用紙のインク受容可能量（インク打ち込み量）に到達しない場合は、特色Ｇインクのほかに、基本色Ｃインクと基本色Ｙインクをさらに追加して用いてもよい。これにより、高彩度な色再現が可能となる。本発明は、これらのＧ−Ｙラインの色分解によって制限されるものでないことはもちろんである。
【０１１５】
以上の色分解によって得られる格子点データに基づいて、プリンタで記録が行われるときの色再現は、図１０や図１１の色再現ライン１６０１として示される。Ｗ−Ｃ間のデバイス１次色Ｃを再現するのに、図１０に示すように、基本色Ｃインク以外に特色Ｇインクを用いる（図２５）。これにより、Ｃインク単色記録の場合（ライン１２０１）に生じる高彩度部での色相シフトを抑制することができる。また、図１１に示すように、本実施形態のライン１６０１は、背景技術の欄で述べた基本色Ｙによって調色を行った場合の再現ライン１６０２と比べて大幅な高彩度の発色を実現でき、また、Ｃ単色の場合のライン１２０１と同等の彩度を実現できる。このように本実施形態の色分解によれば、基本色Ｃインクに起因した色相シフトを抑制するとともに、調色による彩度の低下をも抑制することができる。
【０１１６】
以上のように、反射率特性において基本色Ｃインクがブルー寄りの発色となっている場合に、彩度が高くかつＣインクとグリーンの帯域でオーバーラップする部分を多く持つ特色Ｇインクを、デバイス１次色Ｃの高濃度部で用いる。ここで、高濃度部とは、少なくとも最高濃度域を含めばよいが、好適には、最高濃度域並びにその近傍の濃度域を指す。これにより、上記のような色相シフトの抑制と高彩度を両立して実現することができる。
【０１１７】
なお、デバイス１次色Ｍ、Ｙに係わるそれぞれのラインＷ−Ｍ、Ｗ−Ｙについても、本実施形態のインク系が、それぞれＭインク、Ｙインクが単独で用いられたときに色相シフトを生じるものである場合は、図２５に示したのと同様の色分解とすることができる。例えば、色相がシフトする方向に応じて、基本色Ｍインクと特色Ｒ、基本色Ｙインクと特色Ｇインクを用いることができる。
【０１１８】
図２７は、本実施形態のようにデバイス１次色ＣのラインＷ−Ｃに特色Ｇインクが用いられることに関連した、以上説明した以外の他のラインの色分解を示す図である。同図は、Ｗ−Ｇ−Ｋラインの色分解を示している。ＧインクはＷ点からＧ点に向かって単調増加しＧ点で最大となる。そして、Ｇ点からＫ点近くまでの区間で、Ｇインクは一定を保ち、Ｋ点直前から急激に減少して、Ｋ点では０となる。このラインでは、ＭインクがＫ点に向かって増加した後減少し、Ｋ点で０となる。また、Ｋインクが途中から使用されＫ点で最大となる。なお、この例では、Ｇ点の色を特色Ｇインクだけで再現するものとしているが、調色を目的として、特色Ｇインクと基本色Ｃインクや、特色Ｇインクと基本色Ｙインクの２色によって再現することもできる。また、特色Ｇインクを付与可能な最大量まで使用しても、用紙のインク受容可能量（インク打ち込み量）に到達しない場合には、特色Ｇインクの他に、基本色Ｃインクと基本色Ｙインクをさらに用いることもできる。これにより、高彩度な色再現が可能となる。また、特色Ｇインクの補色成分として基本色Ｍ単色を使用しているが、基本色Ｍと基本色Ｙなどを使用しても良い。本発明はこれらのＧ−Ｙラインの色分解によって制限されるものでないことはもちろんである。
【０１１９】
本実施形態で用いている発色メカニズム
以下では、上述した本実施形態の色分解方法が、その背景として用いている発色メカニズムを、次の５つの条件で記録した場合の発色特性を比較しつつ説明する。
例１：基本色Ｃインク単色による記録  （以下、従来例）
例２：基本色Ｃインクと、基本色Ｙインクによる混色記録  （比較例）
例３：基本色Ｃインクと、特色Ｇインクによる混色記録  （本実施形態）
例４：基本色Ｃインクと、基本色Ｙインクの混合インクＣＹによる記録  （比較例）
例５：基本色Ｃインクと、特色Ｇインクの混合インクＣＧによる記録  （比較例）
【０１２０】
ここで、混色記録のほかに、混合インクによる記録（比較例５）を加えているが、これは、混色記録の場合に、紙面へのインクの形成過程やドットの配置による影響を明確にするためである。なお、ここでの「記録」結果は、記録ヘッドの走査回数が多く、かつ双方向の記録を基にしたものである。例えば、第１のインクと第２のインクを混色した場合には、第１のインクが後（上）に記録される場合と、第２のインクが後（上）に記録される場合の２種類が同等の比率で紙面上に一様に並んでいるものである。
【０１２１】
先ず、記録媒体紙面上でのドット形成状態について顕微鏡写真を元に確認する。
【０１２２】
●ドットの紙面上での記録状態についての顕微鏡写真
以下、それぞれの記録方法による紙面での記録状態を顕微鏡写真を用いて説明する。なお、顕微鏡写真上での濃度はそれぞれのインクの記録濃度に相当しているが、記録状態の視認性を確保するために、顕微鏡写真ごとに若干の明度調整を行っている。従って、この顕微鏡写真からは、ドットの記録状態は確認可能だが、顕微鏡写真間の濃度比較によって、それぞれの記録方法による濃度を推定することはできない。
【０１２３】
図２８は、図３などに示すＣ点でのＣインク量を、Ｃインク単色で紙面に記録（例１）した場合の記録状態の顕微鏡写真を示す。この顕微鏡写真で白い部分が紙面であり、黒い部分ほどＣインクの記録濃度が高くなっている。図２８によれば、紙面のほぼ全面がＣインクによって埋められており、一部には紙面が残り、また一部ではドットが重なり合って記録されていることがわかる。
【０１２４】
図２９は、図２５のＣ点での特色Ｇインク量をＧインク単色で紙面に記録した場合の記録状態の顕微鏡写真を示す図である。図２９によれば、紙面の半分程度がまんべんなくＧインクによって埋められており、半分程度は紙面がそのまま残った状態である。そして、Ｇドット同士は、ほとんど重なることなく記録されていることがわかる。なお、図２９から、Ｇドットは紙面上でほぼ真円として記録されることがわかる。
【０１２５】
図３０は、図１２のＣ点での基本色Ｙインク量をＹインク単色で紙面に記録した場合の記録状態の顕微鏡写真を示す図である。図３０によれば、ほとんどの領域で紙面がそのまま残っており、紙面の一部についてＹドットがまばらで、重なることなく記録されていることがわかる。なお、図３０からは、Ｙドットは、涙滴形で大きく濃度の高いドットとして記録されている主滴と、その隣の小さな円形の小ドット１〜２滴として記録されているサテライト（飛翔過程において主滴から分離して記録される副滴）からなっていることがわかる。
【０１２６】
図３１は、図１２のＣ点での基本色Ｃインクを基本色Ｙインクによって調色する色分解テーブル（例２）を用いて紙面に記録した場合の記録状態の顕微鏡写真を示す図である。図３１によれば、そのほとんどの領域は、図２８のＣインク単色記録時と同等となっているが、一部については、図２８のＣインク単色記録時よりも黒く記録されていることがわかる。この黒く記録されている部分は、図２８および図３０から、基本色Ｃインク滴と基本色Ｙインクが重なって記録されている領域であることが類推される。さらに、図３１から、この方法では、濃度が相対的に低い領域と、濃度が相対的に高い領域とに分離して記録されることがわかる。
【０１２７】
図３２は、図２５のＣ点での基本色Ｃインクを特色Ｇインクによって調色する本実施形態の色分解テーブル（例３）を用いて紙面に記録した場合の記録状態の顕微鏡写真を示す図である。図２８および図２９との比較および図３２から、図中の明るい真円は特色Ｇインクが紙面上にまんべんなく記録されたものであり、基本色Ｃインクによるドットとは、比較的混ざり合って記録されていることがわかる。
【０１２８】
図３３は、図１２のＣ点での基本色Ｃインクと基本色Ｙインクを同様の比率で混合した混合インクＣＹ（例４）を用いて紙面に記録した場合の記録状態の顕微鏡写真を示す図である。図３３では、図３１で特徴的であった重なって記録されている領域がなくなり、紙面全域が一様に記録されていることがわかる。混色インクによる記録では、基本色Ｃインクによる領域と、基本色Ｃインクと基本色Ｙインクの混色による領域が分離することなく記録されるはずである。従って、図３３と図３１の記録状態の比較から、基本色Ｃインクを基本色Ｙインクによって調色する例２の色分解テーブルを用いる場合に分離している領域は、Ｃインク単色記録による領域と、ＣインクとＹインクの混色記録による領域とであることが推定できる。
【０１２９】
図３４は、図２５のＣ点での基本色Ｃインクと特色Ｇインクを同様の比率で混合した混合インクＣＧを用いて紙面に記録した場合（例５）の記録状態の顕微鏡写真を示す図である。図３４では、図３２の若干明るい真円がなくなり、紙面全域がより一様に記録されていることがわかる。しかし、基本色Ｃインクと基本色Ｙインクを使用した図３１と図３３のような混色記録状態と、混色インクによる記録状態との間の差は小さい。従って、基本色Ｃインクを特色Ｇインクによって混色記録した場合には、基本色Ｃインクと基本色Ｙインクの混色記録した場合と比べて、領域の分離が少なくなっていることがわかる。
【０１３０】
以上から、ＣインクとＹインクの混色記録時には、ほとんどを占めるＣインク単色記録による領域と、まばらに点在する２種のインクの混色記録による領域に分離している。これに対して、ＣインクとＧインクの混色記録時は、２種のインクの混色記録領域が広く、かつＣインク単色記録領域と分離することなく混ざり合っていることがわかる。
【０１３１】
●ａ＊ｂ＊平面での色再現（色合い）
次に、それぞれの場合についての色合いについて確認する。
【０１３２】
図３５は、例１〜例５それぞれの記録によるａ＊ｂ＊平面上の色再現を示す図である。ここで、例１の基本色Ｃインク単色による記録（再現ライン１２０１）、例２の基本色Ｃインクと基本色Ｙインクによる混色記録（再現ライン１６０２）は前述のとおりである。また、例３の本実施形態による、基本色Ｃインクと特色Ｇインクによる混色記録（再現ライン１６０１）についても、前述のとおりである。
【０１３３】
例４の混合インクＣＹによる記録による色再現は、再現ライン１８０２のようになる。Ｃインクに対してＹインクを混合することによって、混合インクＣＹでは、色相がより大きくイエロー寄りとなる。さらに、例２のＣインクとＹインクの混色記録結果１６０２と比較すると、混合比率は同じでも、混色記録を行った場合よりも、混合インクとした方が色相調整効果は非常に大きいことがわかる。また、混合インクＣＹの再現ライン１８０２は、Ｃインク単色記録ほどではないものの、高彩度部において色相シフトを起こしている。このことから、基本色Ｃインクに対して、基本色Ｙインクに相当する成分を加えることで、色再現特性を改善することが困難であることがわかる。
【０１３４】
これに対して、例５の混合インクＣＧによる記録による色再現は、再現ライン１８０１のようになる。Ｃインクに対してＧインクを混合して調色することによって、色相が若干イエロー寄りとなっていることがわかる。さらに、例３の本実施形態のＣインクとＧインクの混色記録結果１６０１と比較すると、混合比率を同じにしたとき、混色記録を行った場合と比べて色相調整効果は大差ないことがわかる。
【０１３５】
また、図３５の基本色Ｃインクと特色Ｇインクの混合インクＣＧの再現ライン１８０１は、Ｃインク単色記録ほどではないものの、高彩度部において色相シフトを起こすことがわかる。従って、基本色Ｃインクに対して、特色Ｇインクに相当する成分を加えることで、色再現特性を改善することは困難である。このように、本実施形態のように基本色Ｃインクと特色Ｇインクの両方の色再現特性を考慮した色分解テーブルによらなければ、色相シフト抑制と彩度の保持の両方を同時に達成することができない。
【０１３６】
以上のとおり、ＣインクとＹインクの混色記録時には、混合インク時よりも色相調整効果が低くなるのに対して、ＣインクとＧインクの混色記録時は、混色記録時と混合インク時との間で相対的に色相調整効果の差が少ないことがわかる。
【０１３７】
●Ｃ＊Ｌ＊平面での色再現（彩度）
図３６は、例１〜例５それぞれの記録によるＣ＊Ｌ＊平面における色再現を説明する図である。ここで、例１の基本色Ｃインク単色による記録（再現ライン１２０１）、例２の基本色Ｃインクと基本色Ｙインクによる混色記録（再現ライン１６０２）は前述のとおりである。また、例３の基本色Ｃインクと特色Ｇインクによる混色記録（再現ライン１６０１）についても、前述のとおりである。
【０１３８】
例４の混合インクＣＹによる記録による色再現は、図３６において再現ライン１８０２のようになる。Ｃインクに対してＹインクを混合して調色することによって、混合インクＣＹの場合、彩度が大幅に低下する。さらに、例２のＣインクとＹインクの混色記録結果１６０２と比較すると、混合比率は同じでも、混色記録を行った場合よりも、このように混合インクとした方がかなり大幅に彩度が低下してしまうことがわかる。
【０１３９】
例５の混合インクＣＧによる記録による色再現は、図３６において、再現ライン１８０１のようになる。例３のＣインクとＧインクの混色記録結果１６０１と比較しても、混合比率を同じにして、混色記録を行った場合と比べて彩度は大差ないことがわかる。
【０１４０】
以上から、ＣインクとＹインクの混色記録時には、混合インク時よりも彩度が高いのに対して、ＣインクとＧインクの混色記録時は、混色記録時と混合インク時との間で相対的に彩度の差が少ないことがわかる。
【０１４１】
●スペクトル
図３７は、例１〜５の場合それぞれの記録結果の反射率スペクトルを示す図である。図３７から、例１のＣインク単色記録の場合は、スペクトルは曲線１２０１のようにブルー寄りとなる。例２のＣインクとＹインクによる混色記録では、曲線１６０２のようにグリーン寄りとなる。この場合、４８０［ｎｍ］付近で反射率が低く（吸光率が高く）、従って色相シフトの抑制効果はあるものの、彩度が低下することがわかる。また、例３の本実施形態による、ＣインクとＧインクの混色記録では、曲線１６０１のように色相だけがグリーン寄りで、Ｃ単色記録時（曲線１２０１）とほぼ同じ彩度（反射率）を保っていることがわかる。
【０１４２】
さらに、例４のＣインクとＹインクの混合インクＣＹによる記録では、曲線１８０２のように、色相はグリーン寄りとなるものの、ＣインクとＹインクの混色記録結果１６０２と比べて更に彩度が低下してしまうことがわかる。ところが、例５のＣインクとＧインクの混合インクＣＧによる記録では、曲線１８０１のように、ＣインクとＧインクの混色記録時と彩度についてほぼ同様の色再現特性となる。
【０１４３】
以上から、ＣインクとＹインクの混色記録時には、混合インク時よりも色相調整効果が低く、また、彩度が高くなる。これに対して、ＣインクとＧインクの混色記録時は、混色記録時と混合インク時との間で相対的に色相調整効果、彩度の両方とも差が少ないことがわかる。
【０１４４】
●発色のメカニズム
以上説明したドット記録状態についての観察結果と、色再現についての測定結果の両方から、それぞれ以下のような発色メカニズムであることが推測できる。
【０１４５】
ＣインクとＹインクの混色記録時には、調色のためのＹインクのドット数が少ないことや、ＣインクとＹインクの混合による凝集などによって、ほとんどの面積を占めるＣインク単色からなる領域と、まばらなＣインクとＹインクの両方からなる領域に分離する。この２種類の領域からなる紙面をマクロ的に見た場合、十分な色調整効果を得るには、仮にＹインクが拡散した場合よりも大量のＹインクを投入して色調整を行う必要がある。また、このＹインクの大量投入によって、彩度がより低下しやすくなっていることが推測される。さらに、ＣインクとＹインクのスペクトルが大きく異なり、色相調整のために、所望の色相の波長域の反射までも抑えてしまうことになり、両者の混色による彩度の低下がより一層加速される。
【０１４６】
一方で、ＣインクとＧインクの混色記録時は、調色時に加わるＧインクのドット数が相対的に多いことや、Ｃインクの置かれた紙面でのＧインクの拡散効果によって、必要十分なＧインク量によって調色することが可能である。また、ＣインクとＧインクのスペクトルが類似しており、色相調整によって、所望の色相の波長域の反射を保存することが可能となっていることが推測される。
【０１４７】
また、このような、基本色インク同士でスペクトル帯域が大きくずれていたり、色材や溶媒の物性が大きく異なっていて凝集しやすかったりするという関係は一般的なものであるといえる。さらに、基本色インクとこの基本色に隣り合う近い色の特色インクとの間でスペクトル帯域が重なっていたり、色材や溶媒の物性が類似していてお互いに拡散し易いという関係も一般的なものであるといえる。
【０１４８】
以上から、本発明は、これらの物理的性質に起因するインク特性を適切に組み合わせて、基本色インクを特色インクによって調色する色分解を行うものであり、従来の基本色を用いた色分解における調色とは、その基礎とするメカニズムが異なるものである。
【０１４９】
＜実施形態の変形例＞
上述した実施形態の変形例について以下に説明するが、主に上述の実施形態と異なる点のみ説明する。いずれの変形例にも基本色の高デューティー部における彩度を保持しつつ、色相シフト（巻き込み）を抑制するという本発明の効果が損なわれることは以下の説明から明らかとなる。
【０１５０】
変形例１
第１の変形例は、図２のＷ−Ｃライン４１におけるハイライト部の粒状感に留意した色分解に関するものである。
【０１５１】
図３８は、Ｗ−Ｃライン４１上の各格子点の各色インク量（格子点データ）を示す図である。上述の実施形態にかかる図２５に示す色分解と異なり、基本色Ｃインクと、準基本色ＬＣインクによる濃淡切り替えが行われる。このようにすることによって、ハイライト部の粒状感を改善することができる。なお、図３８では、濃インクＣと特色インクＧを用い始める位置（格子点）は同じ位置であるが、これに限られないことはもちろんである。例えば、ＬＣインク、Ｃインク、Ｇインクの粒状度の大小関係や、Ｃインク、ＬＣインクによる色再現で色相のシフトをし始める位置との関係によって、Ｃが先に使用されＧがその後に追加されるようにしたり、また、その逆としたりと適宜変更することができる。
【０１５２】
変形例２
第２変形例は、図２のＷ−Ｃライン４１におけるハイライト部の色相調整に留意した色分解に関するものである。
【０１５３】
図３９は、Ｗ−Ｃライン４１上の各格子点の各色インク量（格子点データ）を示す図である。上述の実施形態にかかる図２５と異なり、基本色Ｃインクの調色のために添加する特色Ｇインクがハイライト部から使われている。これにより、基本色Ｃインクの高デューティー部の色相シフト（巻き込み）を改善するだけでなく、Ｗ−Ｃライン４１の彩度を保持したまま、色相を任意に調整することができる。また、これに加えて粒状度にも留意する場合には、基本色Ｃの粒状感を考慮して、図３９において基本色Ｃを基本色Ｃと準基本色ＬＣの濃淡切り替えとすることができる。あるいは特色Ｇの粒状感を考慮してハイライト部に関しては若干の準基本色ＬＣと基本色Ｙの混色を用いることもできる。このようにハイライト部に若干の準基本色ＬＣと基本色Ｙの混色を用いる場合であっても、基本色Ｃの高デューティー部を特色Ｇで調色するようにすることにより、Ｗ−Ｃライン４１全体として大きく彩度低下を招くことはない。
【０１５４】
変形例３
第３の変形例は、図２のＷ−Ｃライン４１におけるハイライト部の色相調整に留意した色分解に関するものである。
【０１５５】
図４０は、Ｗ−Ｃライン４１上の各格子点の各色インク量（格子点データ）を示す図である。上述の実施形態にかかる図２５と異なり、基本色Ｃインクの調色のために添加する特色Ｇインクがハイライト部から大量に使われている。これにより、ハイライト部から大きくブルー寄りに色相シフトするような基本色Ｃインクを使用する場合であっても、その彩度を低下させることなく、適切に調色することができる。粒状度を考慮して、基本色Ｃの代わりに基本色Ｃと準基本色ＬＣによる濃淡切り替えを用いることや、特色Ｇの代わりにハイライト部に限定して若干の準基本色ＬＣと基本色Ｙの混色を使用できることは、上記の変形例と同様である。
【０１５６】
変形例４
第４の変形例は、図２のＷ−Ｃライン４１の再現におけるブロンズによる光沢ムラや、インク打ち込み量の急速な変化による擬似階調に留意した色分解に関するものである。
【０１５７】
図４１は、Ｗ−Ｃライン４１上の各格子点の各色インク量（格子点データ）を示す図である。上述の実施形態にかかる図２５と異なる点は、基本色Ｃインクと準基本色ＬＣインクによる濃淡切り替えが行われ、また、Ｃ点が基本色Ｃインクと準基本色ＬＣインクおよび調色のための特色Ｇインクによって構成されている点である。このようにすることによって、基本色Ｃ、準基本色ＬＣのブロンズ度合いの差異に起因するブロンズ（光沢）むらや、Ｗ点からＣ点にいたるライン上での打ち込み量の急激な変化を抑え、擬似階調を防ぐことができる。
【０１５８】
変形例５
第５の変形例は、ブロンズむらの軽減や特定色インクに２液混合時に両者が反応して定着するような反応液が含まれている場合など、発色特性以外の理由によって特定色のインクを混色する場合に関するものである。例えば、図２のＷ−Ｃライン４１において、このような発色特性以外の理由によって、例えば、基本色Ｙインクが全域に加えられている場合の色分解に関する。
【０１５９】
図４２は、Ｗ−Ｃライン４１上の各格子点の各色インク量（格子点データ）を示す図である。上述の実施形態にかかる図２５と異なる点は、基本色Ｙインクがハイライト部から高デューティー部まで全域に添加されている。このような場合でも、基本色Ｙインクの発色特性として、大量に添加すると彩度を低下させてしまうことから、上記の発色特性以外の効果を得るために必要最小限の量を使用する。そして、基本色Ｃインクの高デューティー部における色相シフトの抑制用として、特色Ｇインクによる調色を併用することができる。このようにすることによって、発色特性以外の問題をその他のインクの添加によって回避しつつ、色再現上の問題を特色Ｇインクによる調色効果によって改善することができる。
【０１６０】
変形例６
第６の変形例は、図２のＷ−Ｃライン４１におけるハイライト部の色相調整に留意した色分解に関するものである。ここでは、基本色Ｃインクがハイライト部では、グリーン寄りの色再現特性を持ち、また、高彩度部ではブルー寄りに色相シフトを起こすような色再現特性となっている場合を前提としている。
【０１６１】
図４３は、Ｗ−Ｃライン４１上の各格子点の各色インク量（格子点データ）を示す図である。上述の実施形態にかかる図２５と異なる点は、基本色Ｃインクのハイライト部をブルー寄りへと調色するために特色Ｖインクが添加されている点である。また、高彩度部では特色Ｇインクによって、ブルー寄りに色相シフトすることを抑制する。本発明は、基本的に基本色の高デューティー部における色相シフトの抑制を主眼としたものである。この点から、ハイライト部については、このようにその他の色調整を適宜行うことができ、また、本発明の実施と併用することが可能であることは言うまでもない。
【０１６２】
変形例７
第７の変形例は、基本色Ｃインクが、高デューティー部でこれまで説明したようなブルー寄りにではなく、グリーン寄りに色相シフトする特性を持っている場合の色分解に関するものである。
【０１６３】
図４４は、Ｗ−Ｃライン４１上の各格子点の各色インク量（格子点データ）を示す図である。上述の実施形態にかかる図２５と異なる点は、基本色Ｃインクの調色のために特色Ｇインクではなく、基本色Ｃと隣り合う色相であるが、ブルー寄りの発色特性を持つ特色Ｖインクが添加されている点である。
【０１６４】
変形例８
第８の変形例は、基本色Ｍインクで再現するデバイス１次色の色分解に関するものである。
【０１６５】
図４５は、Ｗ−Ｍライン４１上の各格子点の各色インク量（格子点データ）を示す図である。図１に示す例では、基本色Ｍインクの色再現ラインは、高デューティー部において、レッド寄りに色相シフト（巻き込み）を起こす。そこで、図４５に示すように、基本色Ｍインクの高デューティー部について、ブルー寄りの色相をもつ特色Ｖインクを加えて調色する。このようにＭインクの単位面積あたりの打ち込み量が最大となるＭ点の色を表現する場合に、通常、基本色Ｍインクのみを用いるところ、この変形例８では、基本色Ｍインクと特色Ｖインクを用いるのである。これにより最大濃度のＭ画像の領域が基本色Ｍインクと特色Ｖインクの混色により表現されることになる。
【０１６６】
以上説明した実施形態および変形例は、デバイス１次色について、デバイス１次色に対応する基本色を、この基本色と隣り合う特色によって調色するものである。このインク色の組み合わせは以上説明した基本色Ｃインクと特色Ｇインクの組み合わせに限られるものではないことはもちろんである。例えば、変形例８のように基本色Ｍインクと特色Ｖインクの組み合わせを用いることができる。この基本色インクと特色の組み合わせは、次のものが挙げられる。例えば、基本色Ｃと特色Ｂ、基本色Ｃと特色Ｖ、基本色Ｍと特色Ｒ、基本色Ｍと特色Ｏ、基本色Ｙと特色Ｇ、基本色Ｙと特色Ｒ、基本色Ｙと特色Ｏなども本発明の範疇に含まれる。
【０１６７】
このように、本発明は、デバイス１次色を再現する基本色記録剤について、その発色特性において生じている色相のシフトを調べその色相シフトの方向に応じて、用いる特色記録剤を定める。すなわち、その基本記録剤と色相において隣に位置する２つの基本色記録剤それぞれとの間の色相を再現する特色記録剤のうち、上記色相シフトの方向に応じてそのシフトを抑制（補償）する特色記録剤を選択する。そして、生じている色相シフトの量もしくはそれを抑制する量に応じて、その特色記録剤を使用する、デバイス１次色の範囲や、特色記録剤の量を定めるものである。これにより、色相のシフトを抑制し、かつ高彩度を実現することが可能となる。
【０１６８】
＜他の実施形態＞
上述した実施形態および変形例では、色分解処理をホストコンピュータにおいて実行するものとしたが、これに限られないことはもちろんである。例えば、プリンタや記録機能の他複数の機能を有した複合機などの記録装置において色分解処理を実行してもよい。
【０１６９】
また、上述した実施形態および変形例では、色分解処理をテーブルを用いて実行するものとしたが、これに限られない。例えば、テーブルによる変換関係を演算によって実現してもよい。
【０１７０】
＜さらに他の実施形態＞
本発明は、上述した実施形態の機能を実現する、図２３に示した画像処理の手順を実現するプログラムコード、またはそれを記憶した記憶媒体によっても実現することができる。また、システムあるいは装置のコンピュータ（またはＣＰＵやＭＰＵ）が記憶媒体に格納されたプログラムコードを読出し実行することによっても達成される。この場合、記憶媒体から読み出されたプログラムコード自体が前述した実施形態の機能を実現することになり、そのプログラムコードを記憶した記憶媒体は本発明を構成することになる。
【０１７１】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１７２】
また、コンピュータが読み出したプログラムコードを実行することにより、前述した実施形態の機能が実現されるだけでなく、そのプログラムコードの指示に基づき、コンピュータ上で稼動しているＯＳが実際の処理の一部または全部を行うものであってもよい。
【０１７３】
更に、プログラムコードが、コンピュータに挿入された機能拡張ボードやコンピュータに接続された機能拡張ユニットに備わるメモリに書き込まれた後、そのプログラムコードの指示に基づき、ＣＰＵなどが実際の処理の一部または全部を行うものであってもよい。
【図面の簡単な説明】
【０１７４】
【図１】インク単色記録時のインク付与量に応じた色の変化をＣＩＥ−Ｌ＊ａ＊ｂ＊色空間のａ＊ｂ＊平面上において示す図である。
【図２】プリンタのデバイスＲＧＢ色空間における色分解テーブルの立方体を示す図である。
【図３】従来例にかかる、Ｗ−ＣラインをＣインク単色で再現する色分解テーブルを模式的に示す図である。
【図４】図３に示す従来の色分解テーブルにおけるＢ−Ｃ−Ｇラインの色分解を模式的に示す図である。
【図５】図３に示す従来の色分解テーブルによるプリンタの色再現域を模式的に示す図である。
【図６】図５の色再現域のうち、Ｗ−Ｃ−Ｂ面を強調して示す図である。
【図７】図５の色再現域のうち、Ｃ−ＢーＫ面を強調して示す図である。
【図８】他の従来例にかかる、デバイス１次色をＣと同系色のＬＣの両方を使用して構成する場合のＷ−Ｃラインの色分解を模式的に示す図である。
【図９】図８に示す色分解テーブルにおけるＢ−Ｃ−Ｇラインの色分解を模式的に示す図である。
【図１０】色分解テーブルにおけるＷ−Ｃラインの従来例の色分解と本発明の実施形態の色分解それぞれによる色再現をａ＊ｂ＊平面において示す図である。
【図１１】色分解テーブルにおけるＷ−Ｃラインの従来例の色分解と本発明の実施形態の色分解それぞれによる色再現をＣ＊Ｌ＊平面において示す図である。
【図１２】基本色インクＣをその他の基本色インクＹを用いて調色するＷ−Ｃラインの色分解を模式的に示す図である。
【図１３】図１２に示す色分解テーブルにおけるＢ−Ｃ−Ｇラインの色分解を模式的に示す図である。
【図１４】反射原稿の発色とその知覚メカニズムを説明する模式図である。
【図１５】白色光Ｄ５０のスペクトルを示す図である。
【図１６】Ｇインクの一例のスペクトルを示す図である。
【図１７】等色関数を説明する図である。
【図１８】スペクトルと明度の関係を説明する図である。
【図１９】スペクトルと色相の関係を説明する図である。
【図２０】スペクトルと彩度の関係を説明する図である。
【図２１】本発明の一実施形態にかかるインクジェットプリンタとホストコンピュータによる記録システムの構成を示す概略斜視図である。
【図２２】図２１に示すホストコンピュータの主要な機能を示すブロック図である。
【図２３】図２２に示すホストコンピュータにおいて実施される画像処理を示すブロック図である。
【図２４】本発明の一実施形態で用いるインクの発色特性を示す図である。
【図２５】本発明の実施形態にかかる、基本色インクＣを、特色インクＧを用いて調色するＷ−ＣラインおよびＣ−Ｋラインの色分解を模式的に示す図である。
【図２６】図２５に示す色分解テーブルにおけるＢ−Ｃ−Ｇ−Ｋラインの色分解を模式的に示す図である。
【図２７】図２５に示す色分解テーブルにおけるＷ−Ｇ−Ｋラインの色分解を模式的に示す図である。
【図２８】Ｃインク単色で紙面に記録した場合の記録状態の顕微鏡写真を示す図である。
【図２９】Ｇインク単色で紙面に記録した場合の記録状態の顕微鏡写真を示す図である。
【図３０】Ｙインク単色で紙面に記録した場合の記録状態の顕微鏡写真を示す図である。
【図３１】基本色Ｃインクを基本色Ｙインクによって調色する色分解テーブルを用いて紙面に記録した場合の記録状態の顕微鏡写真を示す図である。
【図３２】基本色Ｃインクを特色Ｇインクによって調色する本発明の一実施形態にかかる色分解テーブルを用いて紙面に記録した場合の記録状態の顕微鏡写真を示す図である。
【図３３】基本色Ｃインクと基本色Ｙインクを同様の比率で混合した混合インクＣＹを用いて紙面に記録した場合の記録状態の顕微鏡写真を示す図である。
【図３４】基本色Ｃインクと特色Ｇインクを同様の比率で混合した混合インクＣＧを用いて紙面に記録した場合の記録状態の顕微鏡写真を示す図である。
【図３５】例１〜５に相当する記録状態での色再現をａ＊ｂ＊平面において示す図である。
【図３６】例１〜５に相当する記録状態での色再現をＣ＊Ｌ＊平面おいて示す図である。
【図３７】例１〜５に相当する記録状態の反射率スペクトルを示す図である。
【図３８】本発明の実施形態の変形例１に係るハイライト部の粒状感に留意した、Ｗ−Ｃラインの色分解を模式的に示す図である。
【図３９】本発明の実施形態の変形例２に係るハイライト部の色相調整に留意した、Ｗ−Ｃラインの色分解を模式的に示す図である。
【図４０】本発明の実施形態の変形例３に係るハイライト部の色相調整に留意した、Ｗ−Ｃラインの色分解を模式的に示す図である。
【図４１】本発明の実施形態の変形例４に係るブロンズによって生じる光沢ムラや、インク打ち込み量の急速な増減による擬似階調に留意した、Ｗ−Ｃラインの色分解を模式的に示す図である。
【図４２】本発明の実施形態の変形例５に係る発色特性以外の理由によって特定色のインクを混色する場合の、Ｗ−Ｃラインの色分解を模式的に示す図である。
【図４３】本発明の実施形態の変形例６に係るハイライト部の色相調整に留意し、その他の特色を調色に併用する場合の、Ｗ−Ｃラインの色分解を模式的に示す図である。
【図４４】本発明の実施形態の変形例７に係る基本色Ｃインクが、高デューティー部でグリーン寄りに色相シフトする特性を持っている場合の、Ｗ−Ｃラインの色分解を模式的に示す図である。
【図４５】本発明の実施形態の変形例８に係るデバイス１次色Ｍとして、基本色Ｍインクと特色Ｖインクの両方を用いる、Ｗ−Ｍラインの色分解を模式的に示す図である。
【符号の説明】
【０１７５】
１３    カラープリンタ
１４    ホストコンピュータ
１０１    色補正処理部
１０２    色変換（色分解）処理部
１０３    出力ガンマ補正部
１０４    量子化処理部
２０２    ＣＰＵ
２０３    メモリ（ＲＡＭ／ＲＯＭ等）
２０４    外部記憶（ＨＤＤ等）
２０５    入力デバイスが接続される入力部
２０６    プリンタなどの周辺機器が接続可能なインターフェイス
【図１】
2007318671.tif 000007
【図２】
2007318671.tif 000008
【図３】
2007318671.tif 000009
【図４】
2007318671.tif 000010
【図５】
2007318671.tif 000011
【図６】
2007318671.tif 000012
【図７】
2007318671.tif 000013
【図８】
2007318671.tif 000014
【図９】
2007318671.tif 000015
【図１０】
2007318671.tif 000016
【図１１】
2007318671.tif 000017
【図１２】
2007318671.tif 000018
【図１３】
2007318671.tif 000019
【図１４】
2007318671.tif 000020
【図１５】
2007318671.tif 000021
【図１６】
2007318671.tif 000022
【図１７】
2007318671.tif 000023
【図１８】
2007318671.tif 000024
【図１９】
2007318671.tif 000025
【図２０】
2007318671.tif 000026
【図２１】
2007318671.tif 000027
【図２２】
2007318671.tif 000028
【図２３】
2007318671.tif 000029
【図２４】
2007318671.tif 000030
【図２５】
2007318671.tif 000031
【図２６】
2007318671.tif 000032
【図２７】
2007318671.tif 000033
【図２８】
2007318671.tif 000034
【図２９】
2007318671.tif 000035
【図３０】
2007318671.tif 000036
【図３１】
2007318671.tif 000037
【図３２】
2007318671.tif 000038
【図３３】
2007318671.tif 000039
【図３４】
2007318671.tif 000040
【図３５】
2007318671.tif 000041
【図３６】
2007318671.tif 000042
【図３７】
2007318671.tif 000043
【図３８】
2007318671.tif 000044
【図３９】
2007318671.tif 000045
【図４０】
2007318671.tif 000046
【図４１】
2007318671.tif 000047
【図４２】
2007318671.tif 000048
【図４３】
2007318671.tif 000049
【図４４】
2007318671.tif 000050
【図４５】
2007318671.tif 000051